【事件の表示】
　特願２０１０−１５０２２９「Ｘ線コンピュータ断層撮影装置」拒絶査定不服審判事件〔平成２２年　９月２４日出願公開，特開２０１０−２０７６４５〕について，次のとおり審決する。
【結　論】
　本件審判の請求は，成り立たない。
【理　由】
第１　手続の経緯・本願発明
　本願は，平成１５年３月１２日（以下「遡及日」という。）に出願した特願２００３−６６７６４号の一部を平成２２年６月３０日に新たな特許出願としたものであって，平成２５年４月４日付けで拒絶理由が通知され，同年６月１０日付けで意見書及び手続補正書が提出され，同年１０月１日付で拒絶査定がされたのに対し，平成２６年１月８日に拒絶査定不服審判の請求がされたものである。
　そして，その請求項１〜５に係る発明は，上記平成２５年６月１０日付け手続補正書で補正された特許請求の範囲の請求項１〜５に記載された事項により特定されるものと認められるところ，そのうち請求項１に係る発明（以下「本願発明」という。）は，以下のとおりのものである。
「【請求項１】
　Ｘ線管と、
　マルチスライス型のＸ線検出器と、
　前記Ｘ線管と前記Ｘ線検出器との間に被検体を載置する寝台と、
　前記被検体の周囲を回転可能に前記Ｘ線管及び前記Ｘ線検出器を支持する回転機構と、
　ヘリカルスキャンを実行するために前記寝台と前記回転機構を制御するコントローラと、
　前記ヘリカルスキャンにより収集された投影データを記憶するデータ記憶装置と、
　前記データ記憶装置から読み出された投影データに基づいて、前記投影方向の異なる複数のスキャノグラムのデータを生成するスキャノグラム生成ユニットと、
　前記複数のスキャノグラムを表示する表示部と、
　前記データ記憶装置に記憶されている投影データに基づいて、前記表示されたスキャノグラム上で指定された位置に対応する断層画像のデータを再構成する再構成ユニットとを具備し、
　前記スキャノグラム生成ユニットは、前記ヘリカルスキャンによるスキャン範囲全体が、前記表示部のスキャノグラム表示領域に収まる空間分解能で、前記スキャノグラムのデータを生成することを特徴とするＸ線コンピュータ断層撮影装置。」
　
第２　引用刊行物及びその記載事項
（１）遡及日前に頒布され，原査定の拒絶の理由に引用された刊行物である特開平５−３１７３０５号公報（以下「引用例１」という。）には，次の事項が記載されている。なお，以下の摘記事項において，下記の引用発明の認定に関連する箇所に下線を付与した。
（１−ア）「【特許請求の範囲】
【請求項１】撮影域を介して対峙して配置されているＸ線を曝射するＸ線源とそのＸ線を検出するＸ線検出器とを前記撮影域内の被検体の周囲を回転させると共にそのスキャン位置を前記被検体の対軸方向に沿って移動しながら前記被検体の３次元領域についての多方向の投影データからなる３次元ボリュームデータを収集し、前記
被検体のスキャノグラムを参照して設定したスライス面のスライス像を前記３次元ボリュームデータを再構成処理に供する
前記スキャノグラムは前記３次元ボリュームデータの中の前記Ｘ線管が同一の位置において収集したデータから生成することを特徴とするＸ線ＣＴ装置。」
　
（１−イ）「【０００８】
【実施例】以下、図面を参照して本発明による
Ｘ線ＣＴ装置
本実施例装置はこの画像生成処理装置と投影データ収集装置とからなり、投影データ収集装置は３次元スキャンを実施し３次元ボリュームデータを収集するための装置であって、画像生成処理部は投影データ収集装置から供給される３次元ボリュームデータを加工しスライス像やスキャノグラム（投影像）を作成するための装置である
【０００９】
投影データ収集装置は
Ｘ線源およびこのＸ線源と撮影域を介して対峙して配置され、被検体を透過したＸ線を検出する複数のＸ線検出素子を一次元に配設して成る多チャンネル型のＸ線検出器や、スライド可能な天板を備える寝台
Ｘ線源およびＸ線検出器の回転および天板のスライド等可動部分のシーケンス制御を行うためのコンソールボックス等を具備する
３次元スキャンとは
ヘリカルスキャン
複数のＸ線検出素子を２次元的に配設して成る２次元アレイＸ線検出器
【００１０】
画像生成処理装置は
投影データ収集装置から供給される３次元ボリュームデータを記憶するための
記憶媒体を備えてなるメモリ２と、メモリ２内の３次元ボリュームデータを再構成処理に供しスライス像を作成する再構成処理手段３
　・・・
【００１２】
スキャノグラム生成手段８は、
メモリ２から必要な投影データ列Ｔを選択的に抽出し、これを２次元面上に配列してスキャノグラムを生成する
このスキャノグラムＳＧは、画像コントローラ４に供給されスライス面の位置を示すカーソルと共にＣＲＴディスプレイ６に表示される
側面方向から見たサイドビュースキャノグラムＳＶと正面方向から投影したトップビュースキャノグラムＴＶとのマルチ表示
　
（１−ウ）以下の図５には，ヘリカルスキャンの投影データから生成されたキャノグラムの表示例が記載されている。
【図５】
　
（１−エ）「【００１５】そして、従来と同様に、このスキャノグラムを参照しながら所望の位置にスライス面を指定することにより（Ｓ５）、当該スライス面に関して再構成処理がなされスライス像が生成され、ＣＲＴディスプレイ６に表示され（Ｓ６）、診断に供することができる。
【００１６】以上のように、本実施例によれば従来のようにスキャノグラム撮影を行うことなく、３次元スキャンで収集した３次元ボリュームデータからスキャノグラムが得られるから、スキャノグラム撮影の必要性がなくなり、被曝量、被検体の拘束時間および検査時間の問題を解決することができる。なお本発明は上述した実施例に限定されることなく、種々変形して実施可能である。例えば、スキャノグラム生成手段に各種画像処理、例えば補間処理手段を付加し、３次元ボリュームデータから選択した投影データについて補間処理を施して平滑なスキャノグラムを生成するようにしてもよい。」
　
　上記引用例１の記載事項を総合すると，引用例１には，以下の発明が記載されていると認められる。
「ヘリカルスキャンを実施し３次元ボリュームデータを収集するための投影データ収集装置と，その投影データ収集装置から供給される３次元ボリュームデータを加工しスライス像やスキャノグラムを作成するための画像生成処理装置を備えたＸ線ＣＴ装置であって，
　投影データ収集装置は，
　Ｘ線源と，
　このＸ線源と撮影域を介して対峙して配置され，被検体を透過したＸ線を検出する複数のＸ線検出素子を２次元的に配設して成る２次元アレイＸ線検出器と，
　スライド可能な天板を備える寝台と，
　Ｘ線源およびＸ線検出器の回転および天板のスライド等可動部分のシーケンス制御を行うためのコンソールボックスと，を具備し，
　画像生成処理装置は，
　前記投影データ収集装置から供給される３次元ボリュームデータを記憶するための記憶媒体を備えてなるメモリと，
　メモリから必要な投影データ列を選択的に抽出し，これを２次元面上に配列してスキャノグラムを生成するスキャノグラム生成手段と，
　生成されたスキャノグラムが，画像コントローラに供給されスライス面の位置を示すカーソルと共に，側面方向から見たサイドビュースキャノグラムと正面方向から投影したトップビュースキャノグラムとのマルチ表示として表示されるＣＲＴディスプレイと，
　スキャノグラムを参照して設定したスライス面のスライス像を作成するため，メモリ内の３次元ボリュームデータを再構成処理に供しスライス像を作成する再構成処理手段と，を具備する，
　Ｘ線ＣＴ装置。」（以下「引用発明」という。）
　
（２）遡及日前に頒布され，原査定の拒絶の理由に引用された刊行物である特開２００３−１９１３１号公報（以下「引用例２」という。）には，次の事項が記載されている
（２−ア）「【０００１】
【発明の属する技術分野】本発明はＸ線ＣＴシステム及び操作コンソール及びその制御方法及びコンピュータプログラム及び記憶媒体に関するものである。」
　
（２−イ）「【０００５】・・・被検体のスキャンすべき範囲を正確にする手法として、ガントリ装置のＸ線管を例えば被検体の真上（検出部が被検体の真下）になる位置に固定し、この状態のまま被検体をＺ軸方向に搬送してスキャン（以下、スカウトスキャンという）を行い、位置決めＸ線像（以下、スカウト像という）を得ることで実現する手法が挙げられる。すなわち、このスカウト像を表示することで、被検体の診察部位がわかるので、後は、その部位を含む範囲を設定して、Ｘ線断層像を再構成するためのスキャン（以下、本スキャンという）を行えばよい。」
　
（２−ウ）「【０００９】しかし、スカウト像の目的は先に説明したように、スキャンする部位や範囲を決定するものであり、それほどの分解能は必要としない。また、操作コンソールの表示画面には、幾つものユーザインタフェースに相当する各種操作ボタン等が表示されているので、スカウト像を表示可能な領域も限られている。
【００１０】したがって、限られた表示領域に、スカウト像全体を表示するには、どうしても隣なったＸ線検出素子のデータを加算平均して１つの表示画素を生成し、表示する画像を構成する画素数を減らす、すなわち、検出部の本来の分解能より低くくする必要があった。」
　
　
第３　対比・判断
１　対比
　本願発明と引用発明とを対比する。
（１）引用発明の「Ｘ線源」及び「複数のＸ線検出素子を２次元的に配設して成る２次元アレイＸ線検出器」は，本願発明の「Ｘ線管」及び「マルチスライス型のＸ線検出器」に相当する。
　
（２）引用発明の「スライド可能な天板を備える寝台」は「被検体」を載置するものであり，「Ｘ線源およびこのＸ線源と撮影域を介して対峙して配置され、被検体を透過したＸ線を検出する」「Ｘ線検出器」との記載から，「Ｘ線管」と「Ｘ線検出器」との間にあるものである。してみれば，引用発明の「スライド可能な天板を備える寝台」は，本願発明の「前記Ｘ線管と前記Ｘ線検出器との間に被検体を載置する寝台」に相当する。
　
（３）引用発明の「Ｘ線源およびＸ線検出器の回転」とは，「Ｘ線源と撮影域を介して対峙して配置され、被検体を透過したＸ線を検出する」「Ｘ線検出器」の回転であるから，被検体の周囲を回転することである。してみれば，引用発明の「Ｘ線源およびＸ線検出器の回転」する機構は，本願発明の「被検体の周囲を回転可能に前記Ｘ線管及び前記Ｘ線検出器を支持する回転機構」に相当する。
　
（４）引用発明の「Ｘ線源およびＸ線検出器の回転および天板のスライド等可動部分のシーケンス制御」は「ヘリカルスキャンを実施」するためのものであるから，引用発明の「Ｘ線源およびＸ線検出器の回転および天板のスライド等可動部分のシーケンス制御を行うためのコンソールボックス」は，本願発明の「ヘリカルスキャンを実行するために前記寝台と前記回転機構を制御するコントローラ」に相当する。
　
（５）引用発明の「投影データ収集装置から供給される３次元ボリュームデータ」は，「ヘリカルスキャンを実施し」て「収集」された「投影データ」であるから，引用発明の「投影データ収集装置から供給される３次元ボリュームデータを記憶するための記憶媒体を備えてなるメモリ」は，本願発明の「ヘリカルスキャンにより収集された投影データを記憶するデータ記憶装置」に相当する。
　
（６）引用発明の「メモリから必要な投影データ列を選択的に抽出し、これを２次元面上に配列してスキャノグラムを生成するスキャノグラム生成手段」は「側面方向から見たサイドビュースキャノグラムと正面方向から投影したトップビュースキャノグラム」を生成しているから，本願発明の「投影方向の異なる複数のスキャノグラムのデータを生成」していることになる。そして，「メモリから」「選択的に抽出」された「必要な投影データ列」は，本願発明の「データ記憶装置から読み出された投影データ」に相当する。
　してみれば，引用発明の「メモリから必要な投影データ列を選択的に抽出し、これを２次元面上に配列して」「側面方向から見たサイドビュースキャノグラムと正面方向から投影したトップビュースキャノグラム」「を生成するスキャノグラム生成手段」は，本願発明の「データ記憶装置から読み出された投影データに基づいて、前記投影方向の異なる複数のスキャノグラムのデータを生成するスキャノグラム生成ユニット」に相当する。
　
（７）引用発明の「側面方向から見たサイドビュースキャノグラムと正面方向から投影したトップビュースキャノグラムとのマルチ表示として表示されるＣＲＴディスプレイ」は，本願発明の「複数のスキャノグラムを表示する表示部」に相当する。
　
（８）引用発明の「スキャノグラムを参照して設定したスライス面のスライス像」は，その「スライス面の位置を示すカーソル」が「スキャノグラム」「と共に」「ＣＲＴディスプレイ」「表示される」ことから，本願発明の「表示されたスキャノグラム上で指定された位置に対応する断層画像」に相当する。
　してみれば，引用発明の「メモリ内の３次元ボリュームデータを再構成処理に供し」「スキャノグラムを参照して設定したスライス面のスライス像を」「作成する再構成処理手段」は，本願発明の「前記データ記憶装置に記憶されている投影データに基づいて、前記表示されたスキャノグラム上で指定された位置に対応する断層画像のデータを再構成する再構成ユニット」に相当する。
　
（９）引用発明の「Ｘ線ＣＴ装置」は，本願発明の「Ｘ線コンピュータ断層撮影装置」に相当する。                                              
　
　してみれば，本願発明と引用発明とは，
（一致点）
「Ｘ線管と，
　マルチスライス型のＸ線検出器と，
　前記Ｘ線管と前記Ｘ線検出器との間に被検体を載置する寝台と，
　前記被検体の周囲を回転可能に前記Ｘ線管及び前記Ｘ線検出器を支持する回転機構と，
　ヘリカルスキャンを実行するために前記寝台と前記回転機構を制御するコントローラと，
　前記ヘリカルスキャンにより収集された投影データを記憶するデータ記憶装置と，
　前記データ記憶装置から読み出された投影データに基づいて，前記投影方向の異なる複数のスキャノグラムのデータを生成するスキャノグラム生成ユニットと，
　前記複数のスキャノグラムを表示する表示部と，
　前記データ記憶装置に記憶されている投影データに基づいて，前記表示されたスキャノグラム上で指定された位置に対応する断層画像のデータを再構成する再構成ユニットとを具備する，Ｘ線コンピュータ断層撮影装置。」
　の点で一致し，以下の点で相違する。
　
（相違点）
　スキャノグラム生成ユニットが，本願発明では「ヘリカルスキャンによるスキャン範囲全体が，前記表示部のスキャノグラム表示領域に収まる空間分解能で，前記スキャノグラムのデータを生成する」ものであるのに対し，引用発明では，そのようなものかどうか不明である点。
　
２　当審の判断
　上記相違点について検討するに，引用例１の摘記（１−ウ）である図５には，ヘリカルスキャンの投影データから生成されたスキャノグラムが表示されており，このスキャノグラムが表示されている領域は，本願発明の「表示部のスキャノグラム表示領域」に他ならない。図５を参照するに，上半身全体（頭部から胴部）の広範囲が表示されていることから，「ヘリカルスキャンによるスキャン範囲全体」といえる。してみれば，図５から，引用発明においても「ヘリカルスキャンによるスキャン範囲全体が、前記表示部のスキャノグラム表示領域に収ま」っているといえ，さらに，引用例１の摘記（１−エ）に「スキャノグラム生成手段に各種画像処理、例えば補間処理手段を付加し」と記載されている。引用例１におけるこれらの記載を参照すれば，引用発明においても，例えば補間処理等の画像処理を施して「ヘリカルスキャンによるスキャン範囲全体が、前記表示部のスキャノグラム表示領域に収まる空間分解能」となるように「スキャノグラムのデータを生成」するように構成することは当業者が容易に想到し得たことである。
　
　また，引用発明は，スキャノスキャンを行わないで，ヘリカルスキャンからスキャノグラムを得るものであるが，そのスキャノグラムは，引用例１の摘記（１−エ）に記載されているとおり，従来のスキャノグラムと同様に，それを参照しながらスライス面を指定するもので，図５のように上半身全体（頭部から胴部）の広範囲を表示するものである。一方，引用例２の摘記（２−ウ）に記載されているよに，スカウト像（スキャノグラム）全体を表示領域にはいるような分解能（空間分解能）でスキャノグラムを生成することは遡及日前に周知のことであるから，引用発明において，ヘリカルスキャンのスキャン範囲全体から得られたスキャノグラムを，表示領域にはいるような空間分解能で生成すること，すなわち，引用発明の「スキャノグラム生成手段」を「ヘリカルスキャンによるスキャン範囲全体が、前記表示部のスキャノグラム表示領域に収まる空間分解能で、前記スキャノグラムのデータを生成する」ものとすることは当業者が容易になしえたことである。そして，本願発明に基づく効果も，引用例１及び２の記載事項から当業者が予期しうる範囲の効果であり，格別顕著なことではない
　なお，請求人は，審判請求書で「スキャノグラム撮影を必要としない引用文献１に記載の発明に、スカウトスキャンを実行することが前提となる引用文献２に記載の発明を組み合わせることは、たとえ当業者といえでも容易に想到できません。」（引用文献１，２は，本審決における引用例１，２である。）と主張しているが，両発明とも，スキャノグラムを表示させるＸ線ＣＴ装置で共通するものであり，引用例１記載の発明において，そのスキャノグラムを表示させるためのデータ処理として，引用例２に記載の周知技術を適用できるものであり，この点何ら阻害要因のあることではない。
　したがって，本願発明は，引用発明及び引用例１の記載事項に基いて，あるいは，引用発明及び引用例２に記載の周知技術に基いて当業者が容易に発明することができたものである。
　
　
第４　むすび
　以上のとおり，本願発明は，特許法第２９条第２項の規定により，特許を受けることができないから，その余の請求項に係る発明について言及するまでもなく，本願は拒絶されるべきものである。
   
　よって，結論のとおり，審決する。